(57)【要約】【課題】従来、特に２分割されたボビンを使用する偏向ヨークは、配線の都合上、水平偏向コイルを装着しボビンを組み立てた後で補正コイル及び端子板等を取り付けることになる。よってその後に補正コイルの引き出し線を引き回し、複数の配線を間違いなく行わなければならない為、非常に複雑、かつ煩雑で正確な作業を要求され、その作業に多くの時間を要し作業性が非常に悪いという問題があった。【解決手段】偏向コイル部２と、この偏向コイル部２の一端側に装着されたプリント配線板５と、このプリント配線板５に配置された補正コイル９と、同じくこのプリント配線板５に配置され、前記偏向コイル部２のコイル及び補正コイル９が接続される端子１０、１１とを具備した。【選択図】　図１
2004022373.tif 000002
【特許請求の範囲】
【請求項１】
偏向コイル部と、この偏向コイル部の一端側に装着された印刷配線板と、この印刷配線板に配置された補正コイルと、同じくこの印刷配線板に配置され、前記偏向コイル部のコイル及び前記補正コイルに接続された端子とを具備したことを特徴とする偏向ヨーク装置。
【請求項２】
請求項１記載の偏向ヨーク装置において、前記補正コイルはこのコイルの端部に接続され前記印刷配線板に挿入可能な接続用端子を具備したことを特徴とする偏向ヨーク装置。
【請求項３】
請求項１または２記載の偏向ヨーク装置において、前記偏向コイル部は、水平偏向コイルを内部に装着し両端部に鍔状部を有したボビンと、このボビンの外部に配置された垂直偏向コイルとを具備し、前記印刷配線板は前記ボビンの一端側の鍔状部に取り付けられたことを特徴とする偏向ヨーク装置。
【請求項４】
請求項１記載の偏向ヨーク装置において、前記垂直偏向コイルの補正回路を構成する電気部品が前記印刷配線板上に配置されたことを特徴とする偏向ヨーク装置。
【発明の詳細な説明】
【０００１】
【発明の属する技術分野】本発明は、偏向ヨーク装置に関する。
【０００２】
【従来の技術】テレビジョン受像機やディスプレイ装置の陰極線管に装着される偏向ヨークは、一般的に漏斗状をした一対の水平偏向コイルと、２分割されたボビンを介して水平偏向コイルの外側に設けられた一対の垂直偏向コイルとで構成されている。水平・垂直それぞれのコイルを固定しているボビンのネック側箱部は偏向コイル等の引き出し線を通す複雑な形状に形成されている。この箱部の後端面にはミスコンバーゼンス補正用の補正コイルが１対あるいは２対取り付けられ、端面部には補正回路の構成部品を装着した端子板あるいは印刷配線板が取り付けられている。偏向コイルおよび補正コイルの引き出し線は、この箱部を引き回され端子板あるいは印刷配線板に接続されている。
【０００３】
特に２分割されたボビンを使用する偏向ヨークは、配線の都合上、水平偏向コイルを装着しボビンを組み立てた後で補正コイルおよび端子板等を取り付けることになる。よってその後に補正コイルの引き出し線を引きまわし、複数の配線を間違いなく行わなければならず、非常に複雑、かつ煩雑で正確な作業を要求され、多くの時間がかかり作業性が非常に悪くなるという問題があった。
【０００４】
本発明は、上記従来の課題を解決するためになされたものであり、その目的は補正コイルの偏向ヨークへの取り付けと接続を容易に行うことができる偏向ヨーク装置を提供することを目的とする。
【０００５】
なお、特開平７−３１２１８３号公報には、上記補正コイルのスタート側またはエンド側のいずれか一方の導線のプリント基板などの端子板への接続の経路に、傾斜したスリットを形成する複数の突起体を立設した構成により、スタート側の導線群とエンド側の導線群の相互間の接触ショートを防止し、ミスコンバーゼンスの補正機能の信頼性を向上した偏向ヨークが開示されている。しかしながら補正コイルの偏向ヨークへの取り付けと接続を容易に行う技術等については開示がない。
【０００６】
また、特開２００２−３３０５９号公報には、所定の配線パターンを形成したプリント基板に抵抗器や差動コイル等の回路部品が実装された、コンバーゼンスや歪等の補正回路等が形成されている実装基板が記載されているが、この実装基板は偏向ヨーク装置本体の外周囲に取り付けられるものであり、やはり補正コイルの偏向ヨークへの取り付けと接続を容易に行う技術等については開示がない。
【０００７】
【発明が解決しようとする課題】上述したように、従来、特に２分割されたボビンを使用する偏向ヨークは、配線の都合上、水平偏向コイルを装着しボビンを組み立てた後で補正コイルおよび端子板等を取り付けることになる。よってその後に補正コイルの引き出し線を引きまわし、複数の配線を間違いなく行わなければならない為、非常に複雑かつ、煩雑で正確な作業を要求され、多くの時間がかかり作業性が非常に悪くなるという問題があった。
【０００８】
本発明は、上述した問題点を解決するためになされたもので、その目的は補正コイルの偏向ヨークへの取り付けと接続を容易に行うことができる偏向ヨーク装置を提供することを目的とする。
【０００９】
【課題を解決するための手段】請求項１にかかる偏向ヨーク装置は、偏向コイル部と、この偏向コイル部の一端側に装着された印刷配線板と、この印刷配線板に配置された補正コイルと、同じくこの印刷配線板に配置され、前記偏向コイル部のコイル及び前記補正コイルに接続された端子とを具備したことを特徴とするものである。
【００１０】
請求項２にかかる偏向ヨーク装置は、請求項１記載の偏向ヨーク装置において、前記補正コイルはこのコイルの端部に接続され前記印刷配線板に挿入可能な接続用端子を具備したことを特徴とするものである。
【００１１】
請求項３にかかる偏向ヨーク装置は、請求項１または２記載の偏向ヨーク装置において、前記偏向コイル部は、水平偏向コイルを内部に装着し両端部に鍔状部を有したボビンと、このボビンの外部に配置された垂直偏向コイルとを具備し、前記印刷配線板は前記ボビンの一端側の鍔状部に取り付けられたことを特徴とするものである。
【００１２】
請求項４にかかる偏向ヨーク装置は、請求項１記載の偏向ヨーク装置において、前記垂直偏向コイルの補正回路を構成する電気部品が前記印刷配線板上に配置されたことを特徴とするものである。
【００１３】
【発明の実施の形態】以下、本発明になる偏向ヨーク装置の実施の形態につき、図面を用いて詳細に説明する。
【００１４】
図１は、本発明になる偏向ヨーク装置の一実施の形態を示す側面図である。図中、１は
偏向ヨーク装置本体部であり、この本体部１は漏斗状の偏向コイル部２及びこの偏向コイル部２の両端部に設けられた一対の鍔状の側箱部３、４を備えている。
【００１５】
漏斗状の偏向コイル部２のネック部側の側箱部３の外方向面側には、プリント配線板５が配置されており、このプリント配線板５には垂直偏向コイルの補正回路を構成する電気素子部品である抵抗６、ダイオード７（後述する図２を参照）、コンバージェンス調整用のボリューム抵抗８、補正コイル９、１０、この補正コイル９、１０と水平偏向コイルとを接続する端子１１、補正コイル９、１０と垂直偏向コイルとを接続する端子１２、ネジコアによって実装された差動コイル１３が配置されている。なお、端子１１には上記水平偏向コイルの端子が、また端子１２には上記垂直偏向コイルの端子が絡めて半田付けされて接続されている。一方、補正コイル９、１０の端子は、プリント配線板５の部品取り付け面と反対側の面に形成された配線パターンを介して端子１１及び１２に接続されている。
【００１６】
図２は、図１のプリント配線板５のみを取り出して示したものであり、同図（Ａ）はその平面図、同図（Ｂ）は側面図を示す。なお、図２（Ａ）で１４は、プリント配線板５を側箱３上に配置する際に偏向コイル部２のネック部が挿入される透孔である。プリント配線板５の部品取り付け面と反対側の面には、あらかじめ端子を含む上述した各部品間の配線が施され、各部品を挿入接続することにより回路を構成することが出来る様になっている。
【００１７】
図３は上記プリント配線板５に取り付けられる補正コイル９、１０を取り出して示す側面図（同図（Ａ））並びに裏面図（同図（Ｂ））である。図３に示すように補正コイル９、１０はその本体に端子１５が付いており、この端子１５には補正コイル９、１０の各端子が接続されている。従って、端子１５をプリント配線板５に挿入し半田付けを行なうことにより、必要な回路が構成できるようになっている。
【００１８】
図４は偏向ヨーク装置本体部１の要部分解側面図である。この図は偏向ヨーク装置本体部１の漏斗状の偏向コイル部２から垂直偏向コイルを取り払った状態を示す側面図で、１６は一対のボビンであり、これらボビン１６は図中、矢印方向に組み合わされることにより、漏斗状の水平偏向コイル１７を内部に装着した形となる。そしてボビン１６の外部に図示せぬ垂直偏向コイルが配置される構造となっている。
【００１９】
以上述べた本実施の形態によれば、補正コイルの端末配線を無くし、引き回しによる短絡や断線の危険性を無くす事が出来る。よって信頼性を上げる事となる。また、回路全体を一体化する事により別工程での組み立てを可能にし、組み立て効率を上げる事が出来る。加えて、水平偏向コイルの接続用の端子１１を備えることにより、より簡略化が実現出来る。
【００２０】
図５は、本発明の他の実施の形態を示す平面図である。この実施の形態においては、補正コイル２１、２２の端末処理をプリント配線板２３に端子２４を複数個設け、補正コイル２１、２２の引き出し線２５をあらかじめ端子２４に接続することで行なっている。勿論、端子２４はプリント配線板２３に形成された各素子を接続する配線パターンと接続される。この他の実施の形態においても、先の実施の形態と同様の効果を有する。
【００２１】
なお、本発明は上記実施の形態に限られるものではなく、本発明の趣旨を逸脱しない範囲で種々様々な変更が可能である。
【００２２】
【発明の効果】以上述べたように本発明によれば、補正コイルの偏向ヨークへの取り付けと接続を容易に行うことができる偏向ヨーク装置を提供することが出来、有用である。
【図面の簡単な説明】
【図１】本発明になる偏向ヨーク装置の実施の形態の一例を示す側面図。
【図２】図１のプリント配線板を取り出して示した平面図並びに側面図。
【図３】図１のプリント配線板に取り付けられる補正コイルを取り出して示した側面図並びに裏面図
【図４】図１の偏向ヨーク装置本体部の要部分解側面図。
【図５】本発明になる偏向ヨーク装置の他の実施の形態を示す平面図。
【符号の説明】
１：　偏向ヨーク装置本体部
２：　偏向コイル部
３：　側箱部
５：　プリント配線板
９、１０：　補正コイル
１２：　端子
２１、２２：　補正コイル
２３：　プリント配線板
２４：　端子
２５：　引き出し線
【図１】
2004022373.tif 000003
【図２】
2004022373.tif 000004
【図３】
2004022373.tif 000005
【図４】
2004022373.tif 000006
【図５】
2004022373.tif 000007